(57)【要約】【課題】浴槽につかった状態で適切に前屈運動を可能とし、効率的にストレッチングを行う。【解決手段】浴槽７０内で用いられる屈伸運動用器具１００であって、浴槽７０内の所定位置に水平に固定される水平支持パイプ１１と、水平支持パイプ１１によって揺動可能に支持され、鉛直方向に懸架されるペダル部２０と、水平支持パイプ１１を、浴槽底面７２に固定する一対の垂直パイプ１２，１２と、水平支持パイプ１１を、浴槽の内壁面７１に対して固定するとともに、水平支持パイプ１１と内壁面７１との間隔を調整する位置調整部６０とを備える。【選択図】  図１
2014223153.tif 000002
【特許請求の範囲】
【請求項１】
浴槽内で用いられる屈伸運動用器具であって、
前記浴槽内の所定位置に水平に固定される水平支持パイプと、
前記水平支持パイプによって揺動可能に支持され、鉛直方向に懸架されるペダル部と、
前記水平支持パイプを、前記浴槽底面に固定する一対の垂直パイプと、
前記水平支持パイプを、前記浴槽の内壁面に対して固定するとともに、前記水平支持パイプと前記内壁面との間隔を調整する位置調整部と
を備えることを特徴とする屈伸運動用器具。
【請求項２】
前記ペダル部は、
前記ペダル部の上端部に連結され、上方に突出した上部ベルトと、
前記ペダル部の下端部に並設されるように連結され、下方に突出した一対の下部ベルトと
をさらに備えることを特徴とする請求項１に記載の屈伸運動用器具。
【請求項３】
前記位置調整部は、
内部の中空部に連通する開口部を有するシリンダーと、
前記開口部を通じて、前記シリンダー内部の前記中空部に挿入され、前記中空部内に、水密な密閉空間を隔成するピストンと、
前記シリンダー外部から前記密閉空間内部に連通する流通部と、
前記流通部を開閉する開閉部と
を備えることを特徴とする請求項１に記載の屈伸運動用器具。
【発明の詳細な説明】
【技術分野】
【０００１】
本発明は、浴槽内で用いられる屈伸運動用器具に関する。
【背景技術】
【０００２】
従来より、自宅で簡易に運動またはストレッチング等を行うための運動器具が各種提案されている。例えば、特許文献１に開示された技術のように、水中で利用可能な器具であって、基台に連結された左右一対のペダル上に乗って、左右交互に上下方向に往復動させることで、脚部分の運動又はストレッチングを行うものがある。
【０００３】
ここで、特にストレッチングは、筋肉が適度に温まった状態で行った方が効果があり、入浴中においてストレッチングが行われることで、筋肉組織の柔軟性や血行をより効果的に改善することができることが知られている。
【先行技術文献】
【特許文献】
【０００４】
【特許文献１】特開２００４−１５４２４７号公報
【発明の概要】
【発明が解決しようとする課題】
【０００５】
しかしながら、特許文献１に開示された技術は、水平に設置されたペダルの上に乗って、足踏み運動を行う器具であるため、浴槽内で座った状態で前屈運動を伴うストレッチングを行うには適しておらず、浴槽内でのストレッチ運動の効果を十分に引き出すことができないという問題がある。
【０００６】
そこで、本発明は、上記のような問題を解決するものであり、浴槽につかった状態で適切な前屈運動を可能とし、効果的にストレッチ運動を行うことができる健康器具を提供することを目的する。
【課題を解決するための手段】
【０００７】
上記課題を解決するために、本発明は、浴槽内で用いられる屈伸運動用器具であって、浴槽内の所定位置に水平に固定される水平支持パイプと、水平支持パイプによって揺動可能に支持され、鉛直方向に懸架されるペダル部と、水平支持パイプを、浴槽底面に固定する一対の垂直パイプと、水平支持パイプを、浴槽の内壁面に対して固定するとともに、水平支持パイプと内壁面との間隔を調整する位置調整部とを備えることを特徴とする。
【０００８】
このような本発明によれば、ペダル部は、水平支持パイプ及び垂直パイプによって浴槽の内壁と略水平に固定されているので、利用者が浴槽に座った状態においてペダル部に足を載せることでユーザーは、浴槽に座った状態で前屈運動が可能となる。そして、入浴して筋肉が適度に温まった状態で、この前屈運動を行い、アキレス腱やふくらはぎの筋肉を伸ばすことができるため、効果的にストレッチングを行うことができる。
【０００９】
さらに、本発明では、水平支持パイプと内壁面との間隔を調整する位置調整部とを備えているため、浴槽のサイズやユーザーの身体サイズが異なる場合であっても、水平支持パイプと内壁面との間隔を調整して、前屈運動を行うための適切な姿勢を保つことができるため、汎用性及び利便性を高めることができる。
【００１０】
上記発明において、ペダル部は、ペダル部の上端部に連結され、上方に突出した上部ベルトと、ペダル部の下端部に並設されるように連結され、下方に突出した一対の下部ベルトとをさらに備えることが好ましい。この場合には、下方に突出した下部ベルトに踵を引っ掛けて固定するとともに、上方に突出した上部ベルトを手で掴んで屈伸運動を行うことで、足の屈伸運動を円滑に行うことができる。
【００１１】
上記発明において、位置調整部は、内部の中空部に連通する開口部を有するシリンダーと、開口部を通じて、シリンダー内部の中空部に挿入され、中空部内に、水密な密閉空間を隔成するピストンと、シリンダー外部から密閉空間内部に連通する流通部と、流通部を開閉する開閉部とを備えることが好ましい。
【００１２】
この場合には、流通部を開放すれば、水がシリンダー外部から密閉空間に連通することができるため、ピストンをスライド移動させて位置を自在に調整することができる。一方、流通部を閉じた状態では、水密な密閉空間が隔成されるので、屈伸運動を行った場合でも、密閉空間の水が外部に漏れることがなく、ペダル部の位置がずれてしまうことを防止することができる。
【発明の効果】
【００１３】
以上述べたように、この発明によれば、利用者が浴槽に座った状態で、入浴により筋肉を適度に温めながら前屈運動が可能となることから、前屈運動を行うための適切な姿勢を保ちつつ、アキレス腱やふくらはぎの筋肉を、無理なく伸ばすことができる。この結果、本発明によれば、効果的なストレッチ運動を行うことができる。
【図面の簡単な説明】
【００１４】
【図１】実施形態に係る屈伸運動用器具の全体構成を示す斜視図である。
【図２】実施形態に係る屈伸運動用器具の全体構成を示す斜視図である。
【図３】（ａ）及び（ｂ）は、実施形態に係る位置調整部の構成を模式的に示す側面図である。
【図４】実施形態に係る開閉部を示す斜視図である。
【図５】実施形態に係る屈伸運動用器具の使用状態を示す説明図である。
【図６】変形例に係る屈伸運動用器具を示す斜視図である。
【図７】変形例に係る屈伸運動用器具の一部を示す側面図である。
【発明を実施するための形態】
【００１５】
以下に添付図面を参照して、本発明に係る屈伸運動用器具１００の実施形態を詳細に説明する。図１及び図２は、本実施形態に係る屈伸運動用器具１００の全体構成を示す斜視図であり、図３（ａ）及び（ｂ）は、本実施形態に係る位置調整部の構成を模式的に示す側面図である。また、図４は、本実施形態に係る開閉部を示す斜視図である。
【００１６】
本実施形態において、屈伸運動用器具１００は、浴槽７０内で用いられる運動用器具であって、図１及び図２に示すように、浴槽７０内の所定位置に水平に固定される水平支持パイプ１１と、水平支持パイプ１１によって支持されるペダル部２０と、水平支持パイプ１１を、浴槽７０底面に固定する一対の垂直パイプ１２，１２と、位置調整部６０とから構成される。
【００１７】
水平支持パイプ１１は、プラスチック等の合成樹脂などで形成され、内部空中の管状部材である。本実施形態において、この水平支持パイプ１１には、図２に示すように、サドルバンドなどの係止部材４４を介して、ペダル部２０が揺動可能に支持されている。なお、この水平支持パイプ１１には、内部中空に連通し、内部に水を流入させる孔を設けて、浮力を抑制するようにしてもよい。
【００１８】
ペダル部２０は、例えば、プラスチック等の合成樹脂などで形成された板状部材であり、利用者の足のサイズに合った所定の面積を有し、各足を載せることのできる２つの基台２１が鉛直方向に懸架されている。これら基台２１は、左右一体的に構成してもよく、左右バラバラに動くように分離させてもよい。なお、このペダル部２０の水平支持パイプ１１への係止は、図２に示すように、水平支持パイプ１１の外周面に摺動可能に嵌め込まれる、断面略Ｕ字形状の係止部材４４が用いられる。
【００１９】
この係止部材４４により、ペダル部２０は、水平支持パイプ１１の外周面に接触しつつ、外周面の接線方向に摺動しつつ、水平支持パイプ１１の中心軸を中心として回転される。このペダル部２０の回転により、下部ベルト２３を、浴槽の側壁面に垂直な方向に対して前後させることができ、上部ベルト２４をユーザーが手前（浴槽壁面から離れる方向）に引っ張ることにより、さらに下部ベルト２３を前方に押し出すことができ、屈伸運動を促進させることとなる。
【００２０】
各基台２１には、基台２１の上端部に連結され、上方に突出した上部ベルト２４と、基台２１の下端部に並設されるように連結され、下方に突出した一対の下部ベルト２３，２３とを備えている。上部ベルト２４は、ユーザーの手で掴まれる部材であり、形下部ベルト２３は、ユーザーの踵を固定する部材である。上部ベルト２４及び下部ベルト２３は、例えば、プラスチック等の合成樹脂で形成された芯部の周りに、ポリウレタン等の合成樹脂を発泡成形したスポンジなどの軟性部材で形成されている。
【００２１】
また、基台２１の上端には、表面から水平方向に突出した４つ一組の突出部２２が、左右に一対設けられている。この突出部２２は、足の指間に挿入される部材であり、スポンジなどの軟性部材で形成されている。この突出部２２を指間に挿入させることで、指先を拡げ、その結果、外反母趾を予防することができる。
【００２２】
水平支持パイプ１１の両端には、Ｌ字状の継手４２を介して一対の垂直パイプ１２，１２が連結されている。一対の垂直パイプ１２，１２は、プラスチック等の合成樹脂などで形成され、内部空中の管状部材である。本実施形態において、垂直パイプ１２は、継手４２から浴槽底面７２に向かって伸びている。
【００２３】
この垂直パイプ１２の浴槽底面側には、Ｔ字状の継手４１が連結されており、継手４１の他の開口には、浴槽底面と接触する脚部５１と、浴槽内壁面７１と接触する支持部５２とが連結されている。脚部５１及び支持部５２には、それぞれ浴槽と対向する側に吸盤５１ａ，５２ａが設けられており、水圧によって浴槽の表面と接着可能となっている。
【００２４】
また、水平支持パイプ１１は、図２に示すように、Ｔ字状の継手４３を介して、ペダル部２０とは反対側に向かって突出した位置調整部６０を備えている。位置調整部６０は、プラスチック等の合成樹脂などで形成され、水平支持パイプ１１と内壁面７１との間隔を調整する部材である。
【００２５】
この位置調整部６０は、図３（ａ）及び（ｂ）に示すように、内部の中空部６６に連通する開口部６５を有するシリンダー６４と、開口部６５を通じて、シリンダー６４内部の中空部６６に挿入され、中空部６６内に、水密な密閉空間を隔成するピストン６１と、シリンダー６４の外部から密閉空間内部に連通する流通部６７と、流通部６７を開閉する開閉部６８とを備える。
【００２６】
流通部６７は、シリンダー６４の側面に形成された開口部分であり、開口部６５とは反対側の開口部近傍に設けられている。この開口部には、開閉部６８が挿入されている。開閉部６８は、図４に示すように、内部空中の筒部材であり、一方に中空部６６に連通する開口部６８ｂを有し、他方は側壁によって密閉されている。そして、開閉部６８の側面には、流通部６７と同形状の孔６８ａが設けられており、軸心を中心として回動可能となっている。
【００２７】
この開閉部６８が回動され、流通部６７の開口部分と開閉部６８の孔６８ａが重なった際に、シリンダー６４の外部から密閉空間内部に連通される流路が形成され、内部に水が入り込むようになっている。
【００２８】
一方、開閉部６８が回動し、流通部６７の開口部分と開閉部６８の孔６８ａが重ならない位置に配置されると、中空部６６内に、水密な密閉空間が隔成されるようになっている。なお、開閉部６８には、内壁面７１と向かい合う面に吸盤５３ａが形成されており、水圧によって浴槽の表面と接着可能となっている。
【００２９】
本実施形態において、ピストン６１は、継手４３に固定され、継手４３と反対側においてシリンダー６４に挿通されている。ピストン６１は、継手４３に連結され、シリンダー６４を貫通して吸盤５３ａに連結されたシャフト６１ａ（中途部分を省略して図示。）と、シャフト６１ａに対して摺動可能に挿通され、シリンダー６４の内壁面に摺動可能に嵌合された隔壁６１ｂと、シャフト６１ａに挿通され、隔壁６１ｂをシリンダー６４側へ付勢するバネ６１ｃとを備えている。隔壁６１ｂがシリンダー６４内部に挿入されることで、シリンダー６４の開口部６５を塞ぎ、中空部６６を形成させている。
【００３０】
そして、ピストン６１は、開閉部６８の孔６８ａが開放され、中空部６６に水密な密閉空間が隔成されていない状態では、ペダル部２０側からピストン６１を介して、押圧されることで、シリンダー６４の中空部６６内を隔壁６１ｂがスライド移動される。また、ピストン６１の外周には、弾性を有するバネ６１ｃが設けられており、孔６８ａが閉塞され中空部６６内に水密な密閉空間が形成されると、隔壁６１ｂの移動が固定され、ペダル部２０と内壁面７１との位置関係が維持される。なお、バネ６１ｃの反発力がクッションとなり、この位置調整部６０の軸方向に作用する力を吸収し、ユーザーの身体に過度な負荷が作用するのをぼうしすることができる。
【００３１】
なお、本実施形態では、バネ６１ｃの反発力により隔壁６１ｂをシリンダー６４側へ押し込むように付勢するようにしたが、図７に示すように、シャフト６１ａを隔壁６１ｂと一体化させ、バネ６１ｃを省略する構成としてもよい。この構成によれば、簡素化した構成によって、位置調整部６０の長さを、シリンダー６４とピストン６１とにより調整できる。
【００３２】
このような屈伸運動用器具１００を用いる場合には、図５に示すように、位置調整部６０によって、水平支持パイプ１１と内壁面７１との間隔を調整する。位置を決めた後は、各吸盤５１ａ〜５３ａによって底面７２又は内壁面７１に固定する。そして、ユーザーが浴槽７０に座った状態で、ペダル部２０に足を載せて、踵を下部ベルト２３に引っ掛けるとともに、上部ベルト２４を掴んで前屈運動を行う。
【００３３】
（作用・効果）
このような本実施形態によれば、浴槽に座って入浴し、筋肉が適度に温まった状態で前屈運動を行い、アキレス腱やふくらはぎの筋肉を伸ばすことが、効果的にストレッチングを行うことができる。
【００３４】
この際、本実施形態において、ペダル部２０には、上部ベルト２４と、一対の下部ベルト２３，２３とを備えているので、下部ベルト２３，２３に踵を引っ掛けて固定するとともに上部ベルト２４を手で掴んで屈伸運動を行うことで、足の屈伸運動を円滑に行うことができる。
【００３５】
また、本実施形態では、水平支持パイプ１１と内壁面７１との間隔を調整する位置調整部６０とを備えてので、開閉部６８によって、流通部６７を閉ければ、水がシリンダー６４外部から密閉空間に連通することができ、ピストン６１をスライド移動させて位置を自在に調整することができる。
【００３６】
これにより、浴槽のサイズやユーザーの身体サイズが異なる場合であっても、水平支持パイプ１１と内壁面７１との間隔を調整して、前屈運動を行うための適切な姿勢を保つことができるため、汎用性及び利便性を高めることができる。一方、流通部６７を閉めた状態では、水密な密閉空間が隔成されるので、屈伸運動を行った場合でも、密閉空間の水が外部に漏れることがなく、ペダル部２０の位置がずれてしまうことを防止することができる。
【００３７】
（変形例）
本発明による屈伸運動用器具は、実施例の記載に限定されることなく、本考案の要旨を逸脱しない範囲内で種々の変形が可能である。以下に、本考案の変形例について説明する。図５は、本変形例に係る屈伸運動用器具１００ａの全体構成を示す斜視図である。
【００３８】
例えば、図５に示すように、ペダル部２０の基台２１表面に凸部２５を複数形成させてもよい。この凸部２５は、例えば、シリコーンゴムなどの樹脂で形成され、足裏のツボ（反射区）に対応した位置に配置されて、前屈運動を行った際には足裏のツボを押圧するようになっている。このような本変形例によれば、前屈運動を行った際、凸部２５によって足裏を押圧して刺激を与えるので、ストレッチングとの相乗効果をもたらし、より血行を促進させることができる。
【符号の説明】
【００３９】
７０…浴槽
１１…水平支持パイプ
１２…垂直パイプ
２０…ペダル部
２１…基台
２２…突出部
２３…下部ベルト
２４…上部ベルト
４１〜４３…継手
４４…係止部材
５１…脚部
５２…支持部
５１ａ〜５３ａ…吸盤
６０…位置調整部
６１…ピストン
６１ａ…シャフト
６１ｂ…隔壁
６１ｃ…バネ
６４…シリンダー
６５…開口部
６６…中空部
６７…流通部
６８…開閉部
６８ａ…孔
７０…浴槽
７１…内壁面
７２…底面
１００…屈伸運動用器具
【図１】
2014223153.tif 000003
【図２】
2014223153.tif 000004
【図３】
2014223153.tif 000005
【図４】
2014223153.tif 000006
【図５】
2014223153.tif 000007
【図６】
2014223153.tif 000008
【図７】
2014223153.tif 000009